(57)【要約】  本記載の電池モジュールは、少なくとも一つの電池セルを含むセル組立体、前記セル組立体を収容するモジュールケース、および前記モジュールケースの外側に装着され、前記セル組立体と電気的に連結され、前記モジュールケース外部で外部コネクタと連結されるためのモジュールコネクタを含む。前記モジュールコネクタの結合面には、少なくとも一方向に開口された第１締結部を有し、前記モジュールケースの外側の対応する結合面には、前記第１締結部に第１方向またはこれと反対の第２方向に挿入されるように両方向に開口された第２締結部を有することができる。
2021517720.tif 000002
【特許請求の範囲】
【請求項１】
少なくとも一つの電池セルを含むセル組立体、
前記セル組立体を収容するモジュールケース、および
前記モジュールケースの外側に装着され、前記セル組立体と電気的に連結され、前記モジュールケースの外部で外部コネクタと連結されるためのモジュールコネクタ
を含み、
前記モジュールコネクタの結合面には、少なくとも一方向に開口された第１締結部を有し、前記モジュールケースの外側の対応する結合面には、前記第１締結部に第１方向またはこれと反対の第２方向に挿入されるように両方向に開口された第２締結部を有する、電池モジュール。
【請求項２】
前記第１締結部は、第１スライドレール締結部であり、
前記第２締結部は、第２スライドレール締結部であり、
前記第１スライドレール締結部と前記第２スライドレール締結部は、互いにスライディング結合され得る、請求項１に記載の電池モジュール。
【請求項３】
前記第２スライドレール締結部は、少なくとも二つの平行なレール部材を含み、
前記第１スライドレール締結部は、前記第２スライドレール締結部の二つのレール部材の間を通過して結合するように構成される内側レール部材を含む、請求項２に記載の電池モジュール。
【請求項４】
前記第２スライドレール締結部の二つのレール部材は、互いに対向する方向にそれぞれ突出した係止突起を有する、請求項３に記載の電池モジュール。
【請求項５】
前記二つのレール部材のそれぞれに突出した前記係止突起は、それぞれの中心が互いにずれるように前記レール部材の延長方向に沿って距離を置いて離隔した、請求項４に記載の電池モジュール。
【請求項６】
前記係止突起は、前記モジュールコネクタの挿入方向に対して鈍角になるように傾斜した傾斜面を有する、請求項４又は５に記載の電池モジュール。
【請求項７】
前記第１スライドレール締結部の内側レール部材は、前記第２スライドレール締結部の二つのレール部材の間を通過して固定されるように構成されるフックを含む、請求項３から６のいずれか一項に記載の電池モジュール。
【請求項８】
前記第２スライドレール締結部の二つのレール部材は、互いに対向する方向にそれぞれ突出した第１係止突起および第２係止突起を有し、
前記第１係止突起および前記第２係止突起は、それぞれの中心が互いにずれるように前記レール部材の延長方向に沿って距離を置いて離隔して、前記第１係止突起が相対的に右側に位置し、前記第２係止突起が相対的に左側に位置する、請求項７に記載の電池モジュール。
【請求項９】
前記第１係止突起と前記第２係止突起の互いに背を向ける外側傾斜面のそれぞれは、前記第１係止突起と前記第２係止突起の互いに向き合う内側傾斜面のそれぞれよりも前記レール部材の延長方向に対して急な傾斜角を形成する、請求項８に記載の電池モジュール。
【請求項１０】
前記フックは、前記内側レール部材の端部で一側に曲がり、
前記第１締結部が前記第２締結部に前記第１方向に挿入される時には、前記フックが前記第２係止突起の前記外側傾斜面に固定され、
前記第１締結部が前記第２締結部に前記第２方向に挿入される時には、前記フックが前記第１係止突起の前記外側傾斜面に固定される、請求項９に記載の電池モジュール。
【請求項１１】
前記第１スライドレール締結部は、前記内側レール部材と平行に延長する少なくとも二つの外側レール部材を含み、
前記モジュールコネクタが結合されると、前記第２スライドレール締結部のレール部材は、前記第１スライドレール締結部の外側レール部材の間に挟まれる、請求項３から１０のいずれか一項に記載の電池モジュール。
【請求項１２】
前記モジュールコネクタは、前記第１締結部が前記第２締結部に前記第１方向に挿入されて前記モジュールケースの外側の対応する結合面に固定される、請求項１から１１のいずれか一項に記載の電池モジュール。
【請求項１３】
前記モジュールコネクタは、前記第１締結部が前記第２締結部に前記第２方向に挿入されて前記モジュールケースの外側の対応する結合面に固定される、請求項１から１１のいずれか一項に記載の電池モジュール。
【請求項１４】
前記モジュールケースの少なくとも一側で前記セル組立体をカバーし、前記セル組立体の電極リードを電気的に連結するバスバー組立体を含み、
前記バスバー組立体は、前記第２締結部を含み、
前記モジュールコネクタは、前記バスバー組立体に結合する、請求項１から１３のいずれか一項に記載の電池モジュール。
【請求項１５】
前記モジュールコネクタは、前記セル組立体とフレキシブルプリント回路基板（Ｆｌｅｘｉｂｌｅ  Ｐｒｉｎｔｅｄ  Ｃｉｒｃｕｉｔ、ＦＰＣ）を通じて電気的に連結される、請求項１から１４のいずれか一項に記載の電池モジュール。
【請求項１６】
前記モジュールコネクタと連結される前記フレキシブルプリント回路基板は、複数回にかけて互いに異なる方向に曲がりながら延長する、請求項１５に記載の電池モジュール。
【請求項１７】
請求項１乃至１６のいずれか一項に記載の少なくとも一つの電池モジュール、および
前記少なくとも一つの電池モジュールをパッケージングするパックケース
を含む電池パック。
【請求項１８】
請求項１７に記載の少なくとも一つの電池パックを含むデバイス。
【発明の詳細な説明】
【技術分野】
【０００１】
関連出願との相互引用
本出願は、２０１８年１２月５日付韓国特許出願第１０−２０１８−０１５５５１３号および２０１９年１２月３日付韓国特許出願第１０−２０１９−０１５９２４０号に基づいた優先権の利益を主張し、当該韓国特許出願の文献に開示された全ての内容は本明細書の一部として組み含まれる。
【０００２】
本発明は、電池モジュールに関し、より具体的に外部コネクタと連結されるモジュールコネクタが装着される電池モジュールに関する。
【背景技術】
【０００３】
二次電池は、製品群に応じた適用容易性が高く、高いエネルギー密度などの電気的特性を有しているため、携帯用機器だけでなく、電気的駆動源により駆動する電気自動車またはハイブリッド自動車、電力貯蔵装置などに普遍的に応用されている。このような二次電池は、化石燃料の使用を画期的に減少させることができるという一次的な長所だけでなく、エネルギーの使用による副産物が全く発生しないという点から、環境にやさしく、エネルギー効率性の向上のための新しいエネルギー源として注目されている。
【０００４】
前記電気自動車などに適用される電池パックは、高出力を得るために複数の単位セルを含む多数のセル組立体を直列に連結した構造を有している。そして、前記単位セルは、正極および負極集電体、セパレータ、活物質、電解液などを含んで構成要素間の電気化学的反応により反復的な充放電が可能である。
【０００５】
一方、近年、エネルギー貯蔵源としての活用をはじめとして大容量構造に対する必要性が高まりながら、多数の二次電池が直列および／または並列に連結された多数の電池モジュールを集合させたマルチモジュール構造の電池パックに対する需要が増加している。
【０００６】
複数個の電池セルを直列／並列に連結して電池パックを構成する場合、少なくとも一つの電池セルからなる電池モジュールを先に構成し、このような少なくとも一つの電池モジュールを利用してその他構成要素を追加して電池パックを構成する方法が一般的である。前記電池パックに含まれる電池モジュールの個数、または電池モジュールに含まれる電池セルの個数は、要求される出力電圧または充放電容量により多様に設定され得る。
【０００７】
電池モジュールは、電池セルと各種電装部品などをモジュールケース内にパッケージングし、モジュールケースの外の外部機器などと電気的な連結のための外部コネクタと連結されるモジュールコネクタを備える。外部コネクタは、一例として、複数個の電池モジュールを電気的に連結させるためのコネクタであってもよい。
【０００８】
既存の電池モジュールは、各モジュール別にコネクタの方向が予め決められている。したがって、コネクタの決められた方向により対称構造のモジュール開発が要求されたりもした。この場合、同一部品を全て対称形で再び開発することによって時間と費用的な損失が発生し、工程の複雑度が増加した。
【発明の概要】
【発明が解決しようとする課題】
【０００９】
本発明が解決しようとする課題は、電池モジュールに装着されるモジュールコネクタの締結構造を両方向でモジュールコネクタが挿入可能に構成することによって、電池モジュール生産後、必要時にモジュールコネクタの方向を変更することができる電池モジュールを提供することにある。
【００１０】
しかし、本発明の実施例が解決しようとする課題は、前述した課題に限定されず、本発明に含まれている技術的な思想の範囲で多様に拡張され得る。
【課題を解決するための手段】
【００１１】
本発明の一実施例による電池モジュールは、少なくとも一つの電池セルを含むセル組立体、前記セル組立体を収容するモジュールケース、および前記モジュールケース外側に装着され、前記セル組立体と電気的に連結され、前記モジュールケース外部で外部コネクタと連結されるためのモジュールコネクタを含む。前記モジュールコネクタの結合面には、少なくとも一方向に開口された第１締結部を有し、前記モジュールケースの外側の対応する結合面には、前記第１締結部に第１方向またはこれと反対の第２方向に挿入されるように両方向に開口された第２締結部を有することができる。
【００１２】
前記第１締結部は、第１スライドレール締結部であり、前記第２締結部は、第２スライドレール締結部であり、前記第１スライドレール締結部と前記第２スライドレール締結部は、互いにスライディング結合されてもよい。
【００１３】
前記第２スライドレール締結部は、少なくとも二つの平行なレール部材を含み、前記第１スライドレール締結部は、前記第２スライドレール締結部の二つのレール部材の間を通過して結合するように構成される内側レール部材を含むことができる。
【００１４】
前記第２スライドレール締結部の二つのレール部材は、互いに対向する方向にそれぞれ突出した係止突起を有することができる。
【００１５】
前記二つのレール部材のそれぞれに突出した前記係止突起は、それぞれの中心が互いにずれるように前記レール部材の延長方向に沿って距離を置いて離隔されてもよい。
【００１６】
前記係止突起は、前記モジュールコネクタの挿入方向に対して鈍角になるように傾斜した傾斜面を有することができる。
【００１７】
前記第１スライドレール締結部の内側レール部材は、前記第２スライドレール締結部の二つのレール部材の間を通過して固定されるように構成されるフックを含むことができる。
【００１８】
前記第２スライドレール締結部の二つのレール部材は、互いに対向する方向にそれぞれ突出した第１係止突起および第２係止突起を有し、前記第１係止突起および前記第２係止突起は、それぞれの中心が互いにずれるように前記レール部材の延長方向に沿って距離を置いて離隔して、前記第１係止突起が相対的に右側に位置し、前記第２係止突起が相対的に左側に位置してもよい。
【００１９】
前記第１係止突起と前記第２係止突起の互いに背を向ける外側傾斜面のそれぞれは、前記第１係止突起と前記第２係止突起の互いに向き合う内側傾斜面のそれぞれよりも前記レール部材の延長方向に対して急な傾斜角を形成してもよい。
【００２０】
前記フックは、前記内側レール部材の端部で一側に曲がり、前記第１締結部が前記第２締結部に前記第１方向に挿入される時、前記フックが前記第２係止突起の前記外側傾斜面に固定され、前記第１締結部が前記第２締結部に前記第２方向に挿入される時、前記フックが前記第１係止突起の前記外側傾斜面に固定されてもよい。
【００２１】
前記第１スライドレール締結部は、前記内側レール部材と平行に延長する少なくとも二つの外側レール部材を含み、前記モジュールコネクタ結合時、前記第２スライドレール締結部のレール部材は、前記第１スライドレール締結部の外側レール部材の間に挟まれてもよい。
【００２２】
前記モジュールコネクタは、前記第１締結部が前記第２締結部に前記第１方向に挿入されて前記モジュールケースの外側の対応する結合面に固定されてもよい。
【００２３】
前記モジュールコネクタは、前記第１締結部が前記第２締結部に前記第２方向に挿入されて前記モジュールケースの外側の対応する結合面に固定されてもよい。
【００２４】
前記モジュールケースの少なくとも一側で前記セル組立体をカバーし、前記セル組立体の電極リードを電気的に連結するバスバー組立体を含み、前記バスバー組立体は、前記第２締結部を含み、前記モジュールコネクタは、前記バスバー組立体に結合してもよい。
【００２５】
前記モジュールコネクタは、前記セル組立体とフレキシブルプリント回路基板（Ｆｌｅｘｉｂｌｅ  Ｐｒｉｎｔｅｄ  Ｃｉｒｃｕｉｔ、ＦＰＣ）を通じて電気的に連結されてもよい。
【００２６】
前記モジュールコネクタと連結される前記フレキシブルプリント回路基板は、複数回にかけて互いに異なる方向に曲がりながら延長してもよい。
【００２７】
本発明の他の一実施例によると、前記少なくとも一つの電池モジュール、および前記少なくとも一つの電池モジュールをパッケージングするパックケースを含む電池パックが提供され得る。
【００２８】
本発明のまた他の一実施例によると、前記少なくとも一つの電池パックを含むデバイスが提供され得る。
【発明の効果】
【００２９】
実施例によれば、両方向で挿入して結合することができる締結構造を有するコネクタを電池モジュールに適用することによって、電池モジュール生産後、必要時にモジュールコネクタの方向を変更することができる。
【図面の簡単な説明】
【００３０】
【図１】本発明の一実施例による電池モジュールを示す斜視図である。
【図２】本発明の一実施例による電池モジュールのモジュールコネクタ装着状態を拡大して示す斜視図である。
【図３】本発明の一実施例による電池モジュールのモジュールコネクタを示す斜視図である。
【図４】本発明の一実施例による電池モジュールのモジュールコネクタを示す底面図である。
【図５】本発明の一実施例による電池モジュールのモジュールコネクタが装着されるバスバー組立体の締結部を拡大して示す斜視図である。
【図６】図２のＶＩ−ＶＩ線に沿って切断して見た断面図であって、本発明の一実施例によるモジュールコネクタの第１締結例を説明するために示す図面である。
【図７】本発明の一実施例によるモジュールコネクタの第２締結例を示す斜視図である。
【図８】図７のＶＩＩＩ−ＶＩＩＩ線に沿って切断して見た断面図であって、本発明の一実施例によるモジュールコネクタの第２締結例を説明するために示す図面である。
【発明を実施するための形態】
【００３１】
以下、添付した図面を参照して本発明の多様な実施例について本発明が属する技術分野における通常の知識を有する者が容易に実施することができるように詳細に説明する。本発明は、多様な異なる形態に実現することができ、ここで説明する実施例に限定されない。
【００３２】
また、明細書全体において、ある部分がある構成要素を「含む」という時、これは特に反対になる記載がない限り、他の構成要素を除外せず、他の構成要素をさらに含むことができることを意味する。
【００３３】
また、明細書全体において、「平面状」という時、これは対象部分を上方から見た時を意味し、「断面状」という時、これは対象部分を垂直に切断した断面を側方から見た時を意味する。
【００３４】
図１は本発明の一実施例による電池モジュールを示す斜視図である。図２は本発明の一実施例による電池モジュールのモジュールコネクタ１３０装着状態を拡大して示す斜視図である。
【００３５】
図１および図２を参照すると、本実施例による電池モジュール１０は、セル組立体１００を収容するモジュールケース１５０の外側に装着されるモジュールコネクタ１３０を含む。セル組立体１００を構成する電池セルは、パウチ型二次電池から備えられてもよく、セル組立体１００内に複数個が積層されて備えられてもよい。前記複数個の電池セルは互いに電気的に連結されてもよく、電池セルのそれぞれは、電極組立体とこれを収容する電池ケースおよび前記電池ケース外部に突出し、前記電極組立体と電気的に連結される電極リード１１０を含むことができる。
【００３６】
電池モジュール１０は、各種電装部品を含むことができ、一例としてＩＣＢ（Ｉｎｔｅｒｎａｌ  Ｃｉｒｃｕｉｔ  Ｂｏａｒｄ）およびＢＭＳ（Ｂａｔｔｅｒｙ  Ｍａｎａｇｅｍｅｎｔ  Ｓｙｓｔｅｍ）などを含むことができる。前記ＩＣＢおよびＢＭＳボードなどの電装部品は、前記複数個の電池セルと電気的に連結され得る。
【００３７】
モジュールケース１５０は、電池モジュール１０の外観を形成し、内部に収容されるセル組立体１００の電極リード１１０が延長される方向に位置するセル組立体１００の少なくとも一側または両側面にバスバー組立体１２０が結合し、その外側に絶縁フレーム１６０が結合され得る。バスバー組立体１２０は、セル組立体１００をカバーするように配置されるバスバーフレーム１２３と、バスバーフレーム１２３に固定されるバスバーを含むことができる。バスバーフレーム１２３は、絶縁体からなってセル組立体１００の電極リード１１０が通過できるリードスロットを含み、バスバー１２１は、セル組立体１００の電極リード１１０を電気的に連結することができる。
【００３８】
図２を参照すると、モジュールコネクタ１３０は、バスバー組立体１２０、特にバスバーフレーム１２３に結合され得る。モジュールコネクタ１３０は、下端部結合面に少なくとも一方向に開口された第１締結部１３５を有し、バスバーフレーム１２３は、第１締結部１３５に結合するようにモジュールケース１５０の外側の対応する結合面に構成された第２締結部２３５を有する。本実施例で第１締結部１３５と第２締結部２３５は、スライドレール締結部からなることができ、以下ではそれぞれ第１スライドレール締結部および第２スライドレール締結部と命名して説明する。しかし、本発明はこれに限定されず、両方向挿入が可能な構造の締結部を有するモジュールコネクタは本発明の範囲に含まれ得る。
【００３９】
一方、電池モジュール１０は、モジュールケース１５０内部で電池セルをセンシングするように構成されたフレキシブルプリント回路基板（Ｆｌｅｘｉｂｌｅ  Ｐｒｉｎｔｅｄ  Ｃｉｒｃｕｉｔ、ＦＰＣ）１４０を含むことができ、このようなフレキシブルプリント回路基板１４０は、モジュールケース１５０外部に延長されてモジュールコネクタ１３０と連結される。したがって、モジュールコネクタ１３０は、前記セル組立体１００とフレキシブルプリント回路基板１４０を通じて電気的に連結され得る。そして、フレキシブルプリント回路基板１４０は、複数回にかけて互いに異なる方向に曲がりながら延長するように形成されるため、締結工程での自由度が増加することができる。
【００４０】
図３は本発明の一実施例による電池モジュールのモジュールコネクタを示す斜視図であり、図４は本発明の一実施例による電池モジュールのモジュールコネクタを示す底面図であり、図５は本発明の一実施例による電池モジュールのモジュールコネクタが装着されるバスバー組立体の締結部を拡大して示す斜視図である。そして図６は図２のＶＩ−ＶＩ線に沿って切断して見た断面図であって、本発明の一実施例によるモジュールコネクタの第１締結例を説明するために示す図面である。
【００４１】
図３および図４を参照すると、本実施例のモジュールコネクタ１３０は、下端部の結合面に少なくとも一方向に開口された第１スライドレール締結部１３５を有する。図５を参照すると、モジュールケース１５０の外側の対応する結合面、つまり、バスバー組立体１２０のバスバーフレーム１２３には両方向に開口された第２スライドレール締結部２３５を有する。したがって、第１スライドレール締結部１３５は、前記開口された部分を通じて第１方向またはこれと反対の第２方向に第２スライドレール締結部２３５に結合され得る。これによって、モジュールコネクタ１３０は、バスバー組立体１２０に結合され得る。第１締結例で、図６に示されているように、モジュールコネクタ１３０は、第１スライドレール締結部１３５が第２スライドレール締結部２３５に第１方向（図６で見る時、右側から左側方向）に挿入されて図１のモジュールケース１５０の外側の対応する結合面に固定され得る。
【００４２】
モジュールコネクタ１３０の第１スライドレール締結部１３５は、三つの平行なレール部材１３５ａ、１３５ｂ、１３５ｃを含み、バスバーフレーム１２３の第２スライドレール締結部２３５は、二つの平行なレール部材２３５ａ、２３５ｂを含む。第１スライドレール締結部１３５のレール部材１３５ａ、１３５ｂ、１３５ｃの中で内側レール部材１３５ｂは、第２スライドレール締結部２３５の二つのレール部材２３５ａ、２３５ｂの間を通過して結合するように構成され得る。
【００４３】
第２スライドレール締結部２３５の二つのレール部材２３５ａ、２３５ｂは、互いに対向する方向にそれぞれ突出した係止突起２３６、２３７を有することができる。これら係止突起２３６、２３７は、モジュールコネクタ１３０の挿入方向に傾斜した傾斜面を有することができる。つまり、前記のように、第２スライドレール締結部２３５には、モジュールコネクタ１３０が第１方向または第２方向に挿入可能であるため、係止突起２３６、２３７の前記傾斜面は両方向に全て前記レール部材の延長方向に対して鈍角になるように傾斜して形成され得る。また互いに対向する係止突起２３６、２３７は、それぞれの中心が互いにずれるように前記レール部材の延長方向に沿って距離を置いて離隔され得る。そして一対の係止突起２３６、２３７の向き合う傾斜面よりは、互いに背を向けている（反対方向に向かう）傾斜面の傾斜角がより急に形成され得る。ここで、一対の係止突起２３６、２３７の互いに向き合う傾斜面を内側傾斜面２３６ａ、２３７ａと称し、互いに背を向ける（反対方向に向かう）傾斜面を外側傾斜面２３６ｂ、２３７ｂと称す。つまり、一対の係止突起２３６、２３７の外側傾斜面２３６ｂ、２３７ｂのそれぞれは、内側傾斜面２３６ａ、２３７ａのそれぞれよりもレール部材２３５ａ、２３５ｂの延長方向に対して急な傾斜角を形成することができる。
【００４４】
具体的に、中心が互いにずれた係止突起２３６、２３７中の相対的に右側に位置した第１係止突起２３６は、外側傾斜面２３６ｂの傾斜角が内側傾斜面２３６ａの傾斜角より急に形成され、中心が互いにずれた係止突起２３６、２３７中の相対的に左側に位置した第２係止突起２３７は、外側傾斜面２３７ｂの傾斜角が内側傾斜面２３７ａの傾斜角より急に形成され得る。
【００４５】
一方、第１スライドレール締結部１３５の内側レール部材１３５ｂは、第２スライドレール締結部２３５の二つのレール部材２３５ａ、２３５ｂの間を通過して固定されるように構成されるフック形レール部材であってもよい。フック形レール部材の端部は、一側に曲がったフック１３６を含み、フック１３６の他の一側は面取りされている。したがって、モジュールコネクタ１３０が結合されるとき、第１スライドレール締結部１３５の内側レール部材１３５ｂは、第２スライドレール締結部２３５の二つのレール部材２３５ａ、２３５ｂの間を通過しながら前記二つの係止突起２３６、２３７をフック１３６が順次に通過して固定され得る。
【００４６】
具体的に、第１方向（図６で見る時、右側から左側方向）に第１スライドレール締結部１３５が挿入される時、フック１３６が左側に位置した第２係止突起２３７の内側傾斜面２３７ａを通過した後、第２係止突起２３７の外側傾斜面２３７ｂに固定され得る。内側傾斜面２３７ａは相対的に緩やかな傾斜角を形成するため、フック１３６が通過することが容易であり、外側傾斜面２３７ｂは相対的に急な傾斜角を形成するため、フック１３６が堅固に固定され得る。
【００４７】
同時に、フック１３６の他の一側は面取りされているため、右側に位置した第１係止突起２３６の外側傾斜面２３６ｂを容易に通過することができる。
【００４８】
モジュールコネクタ１３０の第１スライドレール締結部１３５は、内側レール部材１３５ｂと平行に延長する二つの外側レール部材１３５ａ、１３５ｃを含むことができる。モジュールコネクタ１３０が結合されると、第２スライドレール締結部２３５のレール部材２３５ａ、２３５ｂは、第１スライドレール締結部１３５の外側レール部材１３５ａ、１３５ｃの間に挟まれ得る。
【００４９】
図７は本発明の一実施例によるモジュールコネクタの第２締結例を示す斜視図であり、図８は図７のＶＩＩＩ−ＶＩＩＩ線に沿って切断して見た断面図であって、本発明の一実施例によるモジュールコネクタの第２締結例を説明するために示す図面である。
【００５０】
図７および図８を参照すると、モジュールコネクタ１３０は、第１スライドレール締結部１３５が第２スライドレール締結部２３５に第２方向（図８で見る時、左側から右側方向）に挿入されて図１のモジュールケース１５０の外側の対応する結合面に固定され得る。つまり、前述のように、モジュールコネクタ１３０は、バスバーフレーム１２３に形成される第２スライドレール締結部２３５に第１スライドレール締結部１３５を通じて締結され得る。ただし、本第２締結例では前記第１締結例と反対方向から挿入されて締結される。この時にも前記セル組立体１００から延長されるフレキシブルプリント回路基板１４０は、複数回にかけて互いに異なる方向に曲がりながら延長するように形成されるため、モジュールコネクタ１３０の変更された方向に合わせて伸縮して連結され得る。
【００５１】
またモジュールケース１５０に形成される第１スライドレール締結部１３５の内側レール部材１３５ｂのフック１３６は、第２方向に挿入される場合にも、第２スライドレール締結部２３５のレール部材２３５ａ、２３５ｂに形成される二つの係止突起２３６、２３７を順次に通過して固定され得る。
【００５２】
具体的に、第２方向（図８で見る時、左側から右側方向）に第１スライドレール締結部１３５が挿入される時、フック１３６が右側に位置した第１係止突起２３６の内側傾斜面２３６ａを通過した後、第１係止突起２３６の外側傾斜面２３６ｂに固定され得る。内側傾斜面２３６ａは、相対的に緩やかな傾斜角を形成するため、フック１３６が通過することが容易であり、外側傾斜面２３６ｂは相対的に急な傾斜角を形成するため、フック１３６が堅固に固定され得る。
【００５３】
同時に、フック１３６の他の一側は面取りされているため、左側に位置した第２係止突起２３７の外側傾斜面２３７ｂを容易に通過することができる。
【００５４】
また、第１スライドレール締結部１３５の外側レール部材１３５ａ、１３５ｃは、第２スライドレール締結部２３５のレール部材２３５ａ、２３５ｂを外郭で限定しながら挟まれ得る。
【００５５】
このように本発明の実施例によれば、両方向で挿入して結合することができる締結構造を有するコネクタを電池モジュールに適用することによって、電池モジュール生産後、必要時にモジュールコネクタの方向を変更することができる。
【００５６】
特に、前述のように、内側レール部材１３５ｂのフック１３６と内側傾斜面２３６ａ、２３７ａより急な傾斜角を形成する外側傾斜面２３６ｂ、２３７ｂを備えた一対の係止突起２３６、２３７を通じて、モジュールコネクタ１３０の両方向挿入および挿入時の堅固な結合を全て実現することができる。
【００５７】
一方、本発明の実施例による電池モジュールは、一つまたはそれ以上がパックケース内にパッケージングされて電池パックを形成することができる。
【００５８】
前述した電池モジュールおよびこれを含む電池パックは、多様なデバイスに適用され得る。このようなデバイスには、電気自転車、電気自動車、ハイブリッド自動車などの運送手段に適用され得るが、本発明はこれに制限されず、電池モジュールおよびこれを含む電池パックを用いることができる多様なデバイスに適用可能であり、これも本発明の権利範囲に属する。
【００５９】
以上で本発明の好適な実施例について詳細に説明したが、本発明の権利範囲はこれに限定されず、特許請求の範囲で定義している本発明の基本概念を利用した当業者の多様な変形および改良形態も本発明の権利範囲に属する。
【符号の説明】
【００６０】
１０：電池モジュール
１００：セル組立体
１１０：電極リード
１２０：バスバー組立体
１２１：バスバー
１２３：バスバーフレーム
１３０：モジュールコネクタ
１３５：第１スライドレール締結部（第１締結部）
１３５ａ、１３５ｃ：第１スライド締結部の外側レール部材
１３５ｂ：第１スライド締結部の内側レール部材
１３６：フック
１４０：フレキシブルプリント回路基板
１５０：モジュールケース
２３５：第２スライドレール締結部（第２締結部）
２３５ａ、２３５ｂ：第２スライドレール締結部のレール部材
２３６、２３７：係止突起
【図１】
2021517720.tif 000003
【図２】
2021517720.tif 000004
【図３】
2021517720.tif 000005
【図４】
2021517720.tif 000006
【図５】
2021517720.tif 000007
【図６】
2021517720.tif 000008
【図７】
2021517720.tif 000009
【図８】
2021517720.tif 000010
【国際調査報告】
2021517720.tif 000011
2021517720.tif 000012
2021517720.tif 000013
2021517720.tif 000014